(57)【特許請求の範囲】
【請求項１】
雄側帯状基部および前記雄側帯状基部に突出して設けられた雄部を有する雄部材と、
雌側帯状基部および前記雌側帯状基部に設けられ前記雄部が取り外し可能に係合する雌部を有する雌部材とを備え、
前記雄部は、前記雄側帯状基部から突出する首領域と、前記首領域から前記雄側帯状基部の幅方向の一側に向けて突出する爪領域と、前記首領域から前記雄側帯状基部の幅方向の他側に向け突出する鉤領域とを有し、
前記爪領域は、前記首領域から突出する先端点における雄側帯状基部の平面に平行な平行線に対して当該爪領域の斜辺のなす角が鋭角であり、
前記雄側帯状基部は、当該雄側帯状基部から突出する前記首領域の端部から、前記爪領域が突出する側に連続して厚肉に設けられた厚肉領域と、前記厚肉領域に隣接して設けられ、前記雄側帯状基部の前記首領域が突出する面に設けられた段差により前記厚肉領域より薄肉に設けられた薄肉領域と、を有している
ことを特徴とするジッパーテープ。
【請求項２】
請求項１に記載のジッパーテープにおいて、
前記雄部および前記雌部は、複数対設けられている
ことを特徴とするジッパーテープ。
【請求項３】
請求項１または請求項２に記載のジッパーテープにおいて、
前記雄部材は、前記雄部に並行に設けられ、前記雄部の鉤領域が突出する方向に突出する雄側鉤状領域を有した雄側鉤部を有し、
前記雌部材は、前記雌部に並列に設けられ、前記雄側鉤状領域が係合可能な雌側鉤状領域を有した雌側鉤部を有している
ことを特徴とするジッパーテープ。
【請求項４】
請求項３に記載のジッパーテープにおいて、
前記雄側鉤部および前記雌側鉤部は、複数対設けられている
ことを特徴とするジッパーテープ。
【請求項５】
被包装物を収納可能な袋本体と、
前記袋本体に取り付けられる雄側帯状基部および前記雄側帯状基部に突出して設けられた雄部を有する雄部材と、前記袋本体に取り付けられる雌側帯状基部および前記雌側帯状基部に設けられ前記雄部が取り外し可能に係合する雌部を有する雌部材とを備えたジッパーテープとを具備し、
前記雄部は、前記雄側帯状基部から突出する首領域と、前記首領域から前記雄側帯状基部の幅方向の一側に向けて突出する爪領域と、前記首領域から前記雄側帯状基部の幅方向の他側に向け突出する鉤領域とを有し、
前記爪領域は、前記首領域から突出する先端点における雄側帯状基部の平面に平行な平行線に対して当該爪領域の斜辺のなす角が鋭角であり、
前記雄側帯状基部は、当該雄側帯状基部から突出する前記首領域の端部から、前記爪領域が突出する側に連続して厚肉に設けられた厚肉領域と、前記厚肉領域に隣接して設けられ、前記雄側帯状基部の前記首領域が突出する面に設けられた段差により前記厚肉領域より薄肉に設けられた薄肉領域と、を有している
ことを特徴とするジッパーテープ付袋体。
【請求項６】
請求項５に記載のジッパーテープ付袋体において、
前記ジッパーテープは、前記袋本体の開封により開口される開口部に向けて前記爪領域が突出する状態に前記袋本体に取り付けられる
ことを特徴とするジッパーテープ付袋体。
【請求項７】
請求項５または請求項６に記載のジッパーテープ付袋体において、
前記雌側帯状基部は、幅方向における前記袋本体の開封により開口される開口部側のみが前記袋本体に取り付けられている
ことを特徴とするジッパーテープ付袋体。
【請求項８】
基材フィルムから製袋されジッパーテープを有し被包装物を収納可能なジッパーテープ付袋体を製造する製造方法であって、
前記ジッパーテープは、
雄側帯状基部および前記雄側帯状基部に突出して設けられた雄部を有する雄部材と、
雌側帯状基部および前記雌側帯状基部に設けられ前記雄部が取り外し可能に係合する雌部を有する雌部材とを備え、
前記雄部は、前記雄側帯状基部から突出する首領域と、前記首領域から前記雄側帯状基部の幅方向の一側に向けて突出する爪領域と、前記首領域から前記雄側帯状基部の幅方向の他側に向け突出する鉤領域とを有し、
前記爪領域は、前記首領域から突出する先端点における雄側帯状基部の平面に平行な平行線に対して当該爪領域の斜辺のなす角が鋭角であり、
前記雄側帯状基部は、当該雄側帯状基部から突出する前記首領域の端部から、前記爪領域が突出する側に連続して厚肉に設けられた厚肉領域と、前記厚肉領域に隣接して設けられ、前記雄側帯状基部の前記首領域が突出する面に設けられた段差により前記厚肉領域より薄肉に設けられた薄肉領域と、を有したものであり、
前記雄側帯状基部の幅方向の少なくとも両側を基材フィルムに接合する第一接合治具と、前記雌側帯状基部の幅方向のうち、前記爪領域が突出する側に対応する幅方向の一側のみを前記基材フィルムに接合する第二接合治具を用いる
ことを特徴とするジッパーテープ付袋体の製造方法。
【請求項９】
請求項８に記載のジッパーテープ付袋体の製造方法において、
前記雄部が挿入され前記第一接合治具が対向配置される雄側溝と、前記雌部が挿入され前記第二接合治具が対向配置される雌側溝を周面に設けた回転ドラムを用い、
前記第一接合治具として、前記回転ドラムにおける前記雄側溝の両側に当接する当接部を有し、
前記第二接合治具として、前記回転ドラムにおける前記雌側溝の片側にのみ当接する当接部を有したものを用いる
ことを特徴とするジッパーテープ付袋体の製造方法。
【発明の詳細な説明】
【技術分野】
【０００１】
本発明は、ジッパーテープ、ジッパーテープ付袋体、および、ジッパーテープ付袋体の製造方法に関する。
【背景技術】
【０００２】
従来、薬品や食品などを包装する袋体において、ジッパーテープが取り付けられた各種袋体が知られている。このようなジッパーテープ付き袋体において、ジッパーテープが係合した状態で、収容物の粉体または液体などが漏れ出さないように、密封性と耐圧強度とが望まれた構成が知られている（例えば、特許文献１，２参照）。
【０００３】
特許文献１に記載のものは、一対の帯状基部に第１係合部と第２係合部とを並列に備えたジッパーテープが、袋本体の開口部に設けられている。ジッパーテープの一方の帯状基部は袋本体に取り付けられ、他方の帯状基部は開口部側の縁部分のみが袋本体に取り付けられ、収容部側の縁部分は袋本体に接着されないようになっている。そして、袋本体に内圧が作用した際、他方の帯状基部と袋本体との間に圧力が作用し、互いに係合する係合部には圧力の一部が作用し、係合部から収容物が漏れ出ないようにしている。
特許文献２に記載のものは、雌爪における開口側雌鉤部と内容物側雄鉤部との各基部間のフランジが屈曲可能に形成されている。さらに、内容物側雄鉤部の内容物側の基部をフランジより肉厚となるように形成し、開口側雌爪の開口側の基部がフランジより肉厚となるように形成し、内容物側からの開口強度は十分な強度を保持しつつ、開口側からの開口強度は安定して低い値に保つようにしている。
【先行技術文献】
【特許文献】
【０００４】
【特許文献１】特開平８−２６８４４５号公報
【特許文献２】特開２０００−２６２３０７号公報
【発明の概要】
【発明が解決しようとする課題】
【０００５】
ところで、上記従来のジッパーテープ付き袋体では、内側からの耐圧強度を高めて被包装物が漏れ出ることを防止するため、係合状態をより強固とすることが考えられる。しかしながら、強固に係合させる構成とした場合、被包装物を取り出すため、あるいは被包装物を袋に充填する際に、係合状態を解除するのに大きな力を要し、開封作業が困難となってくる。
本発明は、高い封止性と易開封性との相反する双方が得られるジッパーテープ、ジッパーテープ付袋体、および、ジッパーテープ付袋体の製造方法を提供することを目的とする。
【課題を解決するための手段】
【０００６】
本発明のジッパーテープは、雄側帯状基部および前記雄側帯状基部に突出して設けられた雄部を有する雄部材と、雌側帯状基部および前記雌側帯状基部に設けられ前記雄部が取り外し可能に係合する雌部を有する雌部材とを備え、前記雄部は、前記雄側帯状基部から突出する首領域と、前記首領域から前記雄側帯状基部の幅方向の一側に向けて突出する爪領域と、前記首領域から前記雄側帯状基部の幅方向の他側に向け突出する鉤領域とを有し、前記爪領域は、前記首領域から突出する先端点における雄側帯状基部の平面に平行な平行線に対して当該爪領域の斜辺のなす角が鋭角であり、前記雄側帯状基部は、当該雄側帯状基部から突出する前記首領域の端部から、前記爪領域が突出する側に連続して厚肉に設けられた厚肉領域と、前記厚肉領域に隣接して設けられ、前記雄側帯状基部の前記首領域が突出する面に設けられた段差により前記厚肉領域より薄肉に設けられた薄肉領域と、を有していることを特徴とする。
【０００７】
この発明では、雄部および雌部の係合を爪領域が突出する側から解除する際、雄側帯状基部および雌側帯状基部を離間する方向に移動させると、雄側帯状基部が厚肉領域と薄肉領域との境界を支点として大きく屈曲する状態となる。このため、鉤領域を雌部と強く係合して封止性を高めたとしても、爪領域が突出する側から係合を解除する場合には、容易に係合を解除できる。したがって、高い封止性と易開封性との相反する双方の特性を提供できる。
ここで、雄部および雌部の係合とは、雄部および雌部が噛み合うこと（噛合、咬合）をいい、嵌め合う状態も含むものである。
【０００８】
そして、本発明では、前記雄部および前記雌部は、複数対設けられていることが好ましい。
この発明では、雄部および雌部を複数対設けることで、開封性があまり損なわれず、係合力を大きく増大でき、より高い封止性が得られる。
【０００９】
また、本発明では、前記雄側帯状基部および前記雌側帯状基部のうちの少なくともいずれか一方は、前記雄部および前記雌部に並列に、前記雄部および前記雌部が変形した際に当接可能に設けられた補強部を有していてもよい。
この発明では、雄部および雌部が変形した際に当接可能な補強部を設けることで、例えば、ジッパーテープ付袋体に大きな内圧が作用し、互いに係合する雄部および雌部に大きな力が作用し、雄部および雌部が変形すると、補強部に当接する。このことにより、雄部および雌部が変形して係合が解除してしまうことを防止し、より高い封止性が得られる。
【００１０】
そして、本発明では、前記雄部材は、前記雄部に並行に設けられ、前記雄部の鉤領域が突出する方向に突出する雄側鉤状領域を有した雄側鉤部を有し、前記雌部材は、前記雌部に並列に設けられ、前記雄側鉤状領域が係合可能な雌側鉤状領域を有した雌側鉤部を有していることが好ましい。
この発明では、雄部材に雄側鉤部を設け、雌部材に雌側鉤部を設けることで、雄部および雌部の係合と合わせて雄側鉤部および雌側鉤部の係止により、開封性があまり損なわれず、係合力を大きく増大でき、より高い封止性が得られる。
ここで、雄側鉤状領域および雌側鉤状領域の係合とは、爪状領域同士が互いに引っ掛かっている、もしくは外力が作用した際に引っ掛かる、いわゆる爪状領域同士が互いに引っ掛かり合う状態をいう。
【００１１】
さらに、本発明では、前記雄側鉤部および前記雌側鉤部は、複数対設けられていることが好ましい。
この発明では、雄側鉤部および雌側鉤部を複数対設けることで、開封性があまり損なわれず、係合力を大きく増大でき、より高い封止性が得られる。
【００１２】
本発明のジッパーテープ付袋体は、被包装物を収納可能な袋本体と、前記袋本体に取り付けられる雄側帯状基部および前記雄側帯状基部に突出して設けられた雄部を有する雄部材と、前記袋本体に取り付けられる雌側帯状基部および前記雌側帯状基部に設けられ前記雄部が取り外し可能に係合する雌部を有する雌部材とを備えたジッパーテープとを具備し、前記雄部は、前記雄側帯状基部から突出する首領域と、前記首領域から前記雄側帯状基部の幅方向の一側に向けて突出する爪領域と、前記首領域から前記雄側帯状基部の幅方向の他側に向け突出する鉤領域とを有し、前記爪領域は、前記首領域から突出する先端点における雄側帯状基部の平面に平行な平行線に対して当該爪領域の斜辺のなす角が鋭角であり、前記雄側帯状基部は、当該雄側帯状基部から突出する前記首領域の端部から、前記爪領域が突出する側に連続して厚肉に設けられた厚肉領域と、前記厚肉領域に隣接して設けられ、前記雄側帯状基部の前記首領域が突出する面に設けられた段差により前記厚肉領域より薄肉に設けられた薄肉領域と、を有していることを特徴とする。
【００１３】
この発明では、袋本体を開封する際、雄部および雌部の係合を爪領域が突出する側から雄側帯状基部および雌側帯状基部を離間する方向に移動させるようにすることで、雄側帯状基部が厚肉領域と薄肉領域との境界を支点として大きく屈曲する状態となる。このため、鉤領域を雌部と強く係合して封止性を高めたとしても、爪領域が突出する側である袋本体を開封する場合には、容易に係合を解除できる。したがって、高い封止性と易開封性との相反する双方の特性を提供できる。
【００１４】
そして、本発明では、前記ジッパーテープは、前記袋本体の開封により開口される開口部に向けて前記爪領域が突出する状態に前記袋本体に取り付けられることが好ましい。
この発明では、袋本体の開封される開口部に向けて爪領域が突出する状態とすることで、袋本体を開封する際、雄部および雌部の係合を爪領域が突出する側から雄側帯状基部および雌側帯状基部を離間する方向に移動させることとなる。このことにより、雄側帯状基部が厚肉領域と薄肉領域との境界を支点として大きく屈曲する状態となり、確実に高い封止性と易開封性との相反する双方の特性を提供できる。
【００１５】
また、本発明では、前記雌側帯状基部は、幅方向における前記袋本体の開封により開口される開口部側のみが前記袋本体に取り付けられていることが好ましい。
この発明では、雌側帯状基部の幅方向の開口側のみ袋本体に取り付けるいわゆる片側外しの構成とすることで、内圧が作用した際に、雌側帯状基部が開口部側に移動するように、一対の帯状基部に沿って帯状基部を剪断させる方向に内圧が作用することとなる。このことにより、袋本体と雌側帯状基部との間に内圧が作用し、雄部および雌部が係合する部分には一部の内圧が作用するのみとなる。このため、一対の帯状基部を剪断させる方向に作用する力は、雄部の鉤領域と雌部とが互いに噛合する方向となり、高い封止性が得られる。一方、係合する部分を解除する際には、袋本体の開口部側を離間するようにすることで、係合する爪領域および雌部とは噛合せず、容易に開封できる。したがって、確実に高い封止性と易開封性との相反する双方の特性を提供できる。
【００１６】
本発明のジッパーテープ付袋体の製造方法は、基材フィルムから製袋されジッパーテープを有し被包装物を収納可能なジッパーテープ付袋体を製造する製造方法であって、前記ジッパーテープは、雄側帯状基部および前記雄側帯状基部に突出して設けられた雄部を有する雄部材と、雌側帯状基部および前記雌側帯状基部に設けられ前記雄部が取り外し可能に係合する雌部を有する雌部材とを備え、前記雄部は、前記雄側帯状基部から突出する首領域と、前記首領域から前記雄側帯状基部の幅方向の一側に向けて突出する爪領域と、前記首領域から前記雄側帯状基部の幅方向の他側に向け突出する鉤領域とを有し、前記爪領域は、前記首領域から突出する先端点における雄側帯状基部の平面に平行な平行線に対して当該爪領域の斜辺のなす角が鋭角であり、前記雄側帯状基部は、当該雄側帯状基部から突出する前記首領域の端部から、前記爪領域が突出する側に連続して厚肉に設けられた厚肉領域と、前記厚肉領域に隣接して設けられ、前記雄側帯状基部の前記首領域が突出する面に設けられた段差により前記厚肉領域より薄肉に設けられた薄肉領域と、を有したものであり、前記雄側帯状基部の幅方向の少なくとも両側を基材フィルムに接合する第一接合治具と、前記雌側帯状基部の幅方向のうち、前記爪領域が突出する側に対応する幅方向の一側のみを前記基材フィルムに接合する第二接合治具を用いることを特徴とする。
【００１７】
この発明では、本発明のジッパーテープを用い、第一接合治具にて雄側帯状基部の幅方向の少なくとも両側を基材フィルムに接合させ、第二接合治具にて雌側帯状基部における爪領域が突出する側に対応する幅方向の一側のみを基材フィルムに接合させる。このことにより、雌側帯状基部の幅方向における開口側のみ袋本体に取り付けるいわゆる片側外しの構成となる。このため、内圧が作用した際、雄部および雌部が係合する部分には一部の内圧が作用するのみとなり、雄部の鉤領域と雌部とが互いに噛合する状態となって、高い封止性が得られる。一方、係合する部分を解除する際には、袋本体の開口部側を離間するようにすることで、係合する爪領域および雌部とは噛合せず、容易に開封できる。したがって、高い封止性と易開封性とを確実に備えたジッパーテープ付袋体を提供できる。
【００１８】
そして、本発明では、前記第二接合治具として、前記雌側帯状基部の幅方向の他側に対応する部分が耐熱性樹脂にて形成されたものを用い、対向する前記第一接合治具および前記第二接合治具間に、前記基材フィルムおよび前記ジッパーテープを介在させて熱により接合してもよい。
この発明では、第二接合治具における雌側帯状基部の幅方向の他側に対応する部分を耐熱性樹脂にて形成したものとすることで、通常のヒートシールと同様の方法で接合させても、いわゆる片側外しの構成が得られる。このため、通常の製造方法を変更することなく、高い封止性と易開封性とを確実に備えたジッパーテープ付袋体を提供できる。
【００１９】
また、本発明では、前記雄部が挿入され前記第一接合治具が対向配置される雄側溝と、前記雌部が挿入され前記第二接合治具が対向配置される雌側溝を周面に設けた回転ドラムを用い、前記第一接合治具として、前記回転ドラムにおける前記雄側溝の両側に当接する当接部を有し、前記第二接合治具として、前記回転ドラムにおける前記雌側溝の片側にのみ当接する当接部を有したものを用いることが好ましい。
この発明では、回転ドラムの雌側溝に対向する第二接合治具として、雌側溝の片側にのみ当接する当接部を有したものを用いることで、特別な構成の治具を用いることなく、いわゆる片側外しの構成が得られる。このため、簡単な構成で、通常の回転ドラムを用いる製造方法を変更することなく、高い封止性と易開封性とを確実に備えたジッパーテープ付袋体を提供できる。
【図面の簡単な説明】
【００２０】
【図１】本発明の一実施形態における内圧を加えた状態のジッパーテープ付袋体を示す概略断面図。
【図２】本実施形態のジッパーテープを示す一部を切り欠いた断面図。
【図３】本実施形態のジッパーテープ付袋体の製造装置を示す概略斜視図。
【図４】前記製造装置のシールバー近傍を示す断面図。
【図５】本実施形態の内圧を加えた際の雄部および雌部の係合状態を説明する断面図。
【図６】本実施形態の開封時の雄部および雌部の係合解除を説明する断面図。
【図７】本発明の他の実施形態におけるジッパーテープを示す断面図。
【図８】本発明のさらに他の実施形態におけるジッパーテープを示す断面図。
【図９】本発明のさらに他の実施形態におけるジッパーテープ付袋体を示す断面図。
【図１０】本発明のさらに他の実施形態におけるジッパーテープ付袋体を示す断面図。
【図１１】本発明のさらに他の実施形態におけるジッパーテープ付袋体を製造する製造装置を示す概念図。
【図１２】前記製造装置のシールバー近傍を示す断面図。
【図１３】本発明のさらに他の実施形態におけるジッパーテープ付袋体を製造する製造装置を示す概念図。
【発明を実施するための形態】
【００２１】
以下、本発明の一実施形態を図面に基づいて説明する。
本実施形態では、ジッパーテープ付袋体として、食品、薬品、医療品、文具、雑貨などの各種物品を包装する袋体を例示するが、この限りではない。
【００２２】
［ジッパーテープ付袋体の構造］
図１に示すように、ジッパーテープ付袋体１は、袋本体１０と、袋本体１０の内面に接合、例えばヒートシールされたジッパーテープ２０と、を備えている。
【００２３】
（袋本体の構成）
袋本体１０は、フィルムである基材フィルム１１が重ね合わされ、重なり合う両縁に図示しない一対のサイドシール部とボトムシール部１３が形成される。
そして、袋本体１０は、ボトムシール部１３と反対側が、ジッパーテープ２０を取り付ける開口部１２となり、内部に被包装物Ｐを収納する収納空間１４を区画形成している。
【００２４】
基材フィルム１１としては、例えば、（直鎖状）低密度ポリエチレン（Linear Low Density Polyethylene：ＬＬＤＰＥ）、ポリプロピレン（Polypropylene：ＰＰ）などの熱可塑性樹脂にて形成された単層または多層のフィルムを利用できる。多層のフィルムとしては、表基材に、二軸延伸したポリプロピレン（Oriented Polypropylene：ＯＰＰ）、二軸延伸ポリエチレンテレフタレート（ＯＰＥＴ）、二軸延伸ナイロン（ＯＮｙ）、キャストポリプロピレン（Cast Polypropylene：ＣＰＰ）などを用いることができる。なお、多層フィルムとして、いわゆるガスバリアーや遮光などの目的で、アルミニウム蒸着やアルミニウム箔の積層など、無機系の層を備えた構成としてもよい。
また、基材フィルム１１は、包装袋用材料であれば特に限定されないが、例えば厚み寸法が１０μｍ以上２００μｍ以下であることが好ましい。厚み寸法が１０μｍ未満であると、シール強度、袋強度が弱くなる場合がある。一方、厚み寸法が２００μｍを超えると、袋の開封がしにくくなる場合がある。
【００２５】
（ジッパーテープの構成）
ジッパーテープ２０は、図１，２に示すように、雄部材２１および雌部材２２を備えている。
雄部材２１は、長手帯状に形成された雄側帯状基部２１Ａと、雄側帯状基部２１Ａに長手方向に沿って突出して設けられた雄部２１Ｂと、雄部２１Ｂに並行に雄側帯状基部２１Ａに突出して設けられた雄側鉤部２１Ｃとを有している。そして、雄部材２１は、袋本体１０の開口部１２に沿って、雄側帯状基部２１Ａの幅方向の両側が袋本体１０に接合されて取り付けられている。
雄部２１Ｂは、雄側帯状基部２１Ａから雄側帯状基部２１Ａの長手方向に沿った壁状に突出する首領域２１Ｂ１と、首領域２１Ｂ１から雄側帯状基部２１Ａの幅方向の一側に向けて長手方向に沿って突出し、断面三角形状の爪領域２１Ｂ２と、首領域２１Ｂ１から雄側帯状基部２１Ａの幅方向の他側に向けて長手方向に沿って突出し、断面が釣り針形状の鉤領域２１Ｂ３とを有している。
雄側鉤部２１Ｃは、雄部２１Ｂの鉤領域２１Ｂ３が突出する方向に突出し、断面が釣り針形状の雄側鉤状領域２１Ｃ１を有している。
また、雄側帯状基部２１Ａには、雄側帯状基部２１Ａから突出する首領域２１Ｂ１の端部から、爪領域２１Ｂ２が突出する側に連続して厚肉に設けられた厚肉領域２１Ａ１が設けられている。このことにより、雄側帯状基部２１Ａは、厚肉領域２１Ａ１以外の部分が厚肉領域２１Ａ１より薄肉な薄肉領域２１Ａ２となり、隣接する厚肉領域２１Ａ１と薄肉領域２１Ａ２とが段差状となっている。
【００２６】
雌部材２２は、長手帯状に形成された雌側帯状基部２２Ａと、雌側帯状基部２２Ａに長手方向に沿って突出して設けられ、雄部２１Ｂが係脱可能な雌部２２Ｂと、雌部２２Ｂに並行に雌側帯状基部２２Ａに突出して設けられた雌側鉤部２２Ｃとを有している。そして、雌部材２２は、袋本体１０の開口部１２に沿って、幅方向の開口部１２側のみが袋本体１０に接合されて取り付けられている。
雌部２２Ｂは、雌側帯状基部２２Ａの長手方向に沿って壁状に突出する一対の突出領域２２Ｂ１と、突出領域２２Ｂ１から互いに基端側に向けて折り返すように内側に向けて長手方向に沿って突出する断面釣り針形状の鉤領域２２Ｂ３とを有している。
雌側鉤部２２Ｃは、雌部２２Ｂの鉤領域２２Ｂ３が突出する方向に突出し、断面が釣り針形状の雌側鉤状領域２２Ｃ１を有している。
【００２７】
雄部２１Ｂの爪領域２１Ｂ２は、雌部２２Ｂの収納空間１４側に向けて突出する鉤領域２２Ｂ３に係脱可能な構成となっている。また、雄部２１Ｂの鉤領域２１Ｂ３は、雌部２２Ｂの開口部１２側に向けて突出する鉤領域２２Ｂ３に係脱可能な構成となっている。
雄部２１Ｂと雌部２２Ｂとにより第一係合部２３が構成され、雄側鉤部２１Ｃと雌側鉤部２２Ｃとにより第二係合部２４が構成される。
【００２８】
雄部２１Ｂの爪領域２１Ｂ２は、首領域２１Ｂ１から突出する先端点である頂点Ｍが、爪領域２１Ｂ２の断面三角形状の首領域２１Ｂ１に面する底面の垂線上に位置する。さらに、頂点Ｍにおける雄側帯状基部２１Ａの平面に平行な平行線Ｌに対して爪領域２１Ｂ２の斜辺Ｎのなす角θは、不用意な開封を防止しつつ、開封性が損なわれることを防止して係合解除時の良好な手感触を提供するために、０°以上９０°未満の鋭角である。
【００２９】
そして、このようなジッパーテープ２０は、例えばポリオレフィン系樹脂を用いて形成されている。なお、ジッパーテープ２０は、長手方向に対して折り曲げることで、その状態を保持する形状保形性を有し、開口部１２の開口が維持される状態となるように形成してもよい。
ポリオレフィン系樹脂としては、例えば、低密度ポリエチレンまたは直鎖状低密度ポリエチレンなどのポリエチレン系樹脂、ポリプロピレン系樹脂が好ましい。特に、伸びにくいポリプロピレン系樹脂が好ましい。ポリプロピレン系樹脂としては、ホモポリプロピレン（Ｈ−ＰＰ）、ブロックポリプロピレン（Ｂ−ＰＰ）、ランダムポリプロピレン（Ｒ−ＰＰ）、プロピレン−エチレン−ブテン１ランダム三元共重合体などが利用できる。
【００３０】
［ジッパーテープ付袋体の製造］
次に、上記ジッパーテープ付袋体１の製造について説明する。
なお、ジッパーテープ付袋体１の製造には、種々の方法を採用することができる。
【００３１】
（製造装置）
図３は、ジッパーテープ付袋体１の製造装置を示す概略斜視図である。
図３に示す製造装置３は、いわゆる三方製袋機を基本構成とするものである。
この製造装置３は、雄部材２１および雌部材２２が係合されたジッパーテープ２０を送り出す一対のテープ操出装置３１と、ジッパーテープ２０を基材フィルム１１にヒートシールするジッパーテープ接合装置３２と、基材フィルム１１からジッパーテープ付袋体１を形成させる製袋装置３３と、などを備えている。
【００３２】
テープ操出装置３１は、雄部材２１および雌部材２２を係合したジッパーテープ２０を巻回したテープ巻取ロール３１１を着脱可能に装着し、ジッパーテープ２０を送り出す。
ジッパーテープ２０の操出は、例えば連続的に一定速度で繰り出す構成に限らず、間欠的に繰り出す構成とするなど、いずれの操出方法を適用できる。
なお、図３は、説明の都合上、一対のテープ操出装置３１のうちの一方のみを示す。
【００３３】
ジッパーテープ接合装置３２は、フィルム巻取ロール１１１から繰り出される基材フィルム１１と、テープ操出装置３１から繰り出されるジッパーテープ２０とを位置決めする図示しない位置決めガイド部と、基材フィルム１１にジッパーテープ２０をヒートシールするシールバー３２１と、を備えている。
シールバー３２１は、図４に示すように、雄部材２１を基材フィルム１１に取り付ける第一接合治具としての雄側シールバー３２１Ａと、雌部材２２を基材フィルム１１に取り付ける第二接合治具としての雌側シールバー３２１Ｂと、を備えている。
雄側シールバー３２１Ａは、雄側帯状基部２１Ａにおける雄部２１Ｂおよび雄側鉤部２１Ｃを除く断面Ｕ字状に形成され、雄側帯状基部２１Ａの幅寸法と略同幅寸法に形成されている。
雌側シールバー３２１Ｂは、雌側帯状基部２２Ａにおける雌部２２Ｂおよび雌側鉤部２２Ｃを除く断面Ｕ字状に形成され、雄側帯状基部２１Ａの幅寸法と略同幅寸法に形成されている。そして、雌側シールバー３２１Ｂは、雌側帯状基部２２Ａの幅寸法の一端側から雌側鉤部までの第一バー３２１Ｂ１と、第一バー３２１Ｂ１に隣接され雌側帯状基部２２Ａをシールしない第二バー３２１Ｂ２とを備えている。
第二バー３２１Ｂ２は、各種材料により形成可能であるが、熱伝導度が低く耐熱性を有する物質が好ましい。このような物質としては、例えば、エポキシ樹脂、ポリカーボネート、環状オレフィンポリマーなどの耐熱樹脂が利用できる。
なお、基材フィルム１１とジッパーテープ２０との接合は、ヒートシールに限らず、超音波による溶着、接着剤などを用いた接着など、各種方法を利用できる。
【００３４】
製袋装置３３は、ボトムシール部１３を形成するボトムシールバー３３１と、ジッパーテープ２０を潰す潰しバー３３２と、ジッパーテープ２０を潰した位置でサイドシール部を形成するサイドシールバー３３３と、ジッパーテープ２０間で切断する第一切断部３３４と、サイドシール部毎に切断し、ボトムシール部１３とサイドシール部との三方がヒートシールされたジッパーテープ付袋体１を得る第二切断部３３５と、を備えている。
そして、製造装置３の次工程として、形成されたジッパーテープ付袋体１に被包装物Ｐを充填する充填装置（図示せず）が備えられている。
【００３５】
（ジッパーテープ付袋体の製造方法）
次に、上記製造装置３を用いたジッパーテープ付袋体１の製造方法について図面を参照して説明する。
【００３６】
ジッパーテープ付袋体１の製造方法は、例えば図３，４に示す三方製袋する製造装置３を用いて製造され、ジッパーテープ２０を繰り出すテープ操出工程と、ジッパーテープ２０を基材フィルム１１に接合させるテープ取付工程と、基材フィルム１１からジッパーテープ付袋体１を形成させる製袋工程と、などを実施する。
【００３７】
テープ操出工程で、テープ巻取ロール３１１からジッパーテープ２０を引き出し、ジッパーテープ接合装置３２へ繰り出し、テープ取付工程を実施させる。
テープ取付工程では、ジッパーテープ接合装置３２により、位置決めガイド部でジッパーテープ２０と基材フィルム１１とを位置決めする。そして、ジッパーテープ接合装置３２は、シールバー３２１によりジッパーテープ２０の雄部材２１および雌部材２２を基材フィルム１１にそれぞれヒートシールする。
このジッパーテープ２０のシールの際、雌側シールバー３２１Ｂにより雌側帯状基部２２Ａにおける雌部２２Ｂより開口部１２側のみがシールされ、雄側帯状基部２１Ａは幅方向の両端側がシールされる。
【００３８】
この後、製袋工程でジッパーテープ付袋体１を製袋する。製袋に際して、まずボトムシールバー３３１によりボトムシール部１３を形成する。この後、潰しバー３３２により、ジッパーテープ２０を所定間隔で潰す。続いて、潰しバー３３２でジッパーテープ２０を潰した位置でサイドシールバー３３３により、基材フィルム１１をシールしてサイドシール部を形成する。第一切断部３３４および第二切断部３３５によりそれぞれ切断し、ボトムシール部１３とサイドシール部との三方がシールされたジッパーテープ付袋体１を切り出す。
そして、得られたジッパーテープ付袋体１に、図示しない充填装置により、開口部１２側から被包装物Ｐが所定量投入され、ジッパーテープ２０の係合により封止する。
【００３９】
［内圧作用時および開封時の動作］
次に、上記ジッパーテープ付袋体１の内圧作用時および開封時の動作を、図面を参照して説明する。
図５は、ジッパーテープ付袋体１に内圧を加えた際の雄部および雌部の係合状態を説明する断面図である。図６は、ジッパーテープ付袋体１を開封する際の雄部および雌部の係合解除を説明する断面図である。
【００４０】
（内圧作用時）
被包装物Ｐを封止した状態で、図１に示すようにジッパーテープ付袋体１に外力が作用したり加熱などにて内圧が高くなると、図１および図５中の矢印方向に雄側帯状基部２１Ａおよび雌側帯状基部２２Ａが移動する状態となる。この状態では、雄部２１Ｂの鉤領域２１Ｂ３と雌部２２Ｂの鉤領域２２Ｂ３と、および、雄側鉤部２１Ｃの雄側鉤状領域２１Ｃ１と雌側鉤部２２Ｃの雌側鉤状領域２２Ｃ１とが、互いに引っ張り合うように噛合する。このことにより、第一係合部２３および第二係合部２４の係合がより強くなり、開口部１２は開封されない。
なお、高まった内圧の一部は、袋本体１０と雌側帯状基部２２Ａとの間に作用することとなり、雄部材２１および雌部材２２の係合部分には残りの内圧が作用することとなり、内圧の作用により直接係合が解除されにくく、漏れを防止できる。
【００４１】
（開封時）
一方、開口部１２からの開封に際しては、図６に示すように、ジッパーテープ付袋体１の開口部１２の縁を互いに離間する矢印方向に引っ張る。この開封力により、雄側帯状基部２１Ａが、厚肉領域２１Ａ１と薄肉領域２１Ａ２との境界を支点として大きく屈曲する状態となる。
このことにより、雄部２１Ｂの爪領域２１Ｂ２および雌部２２Ｂの鉤領域２２Ｂ３が外れる方向に移動され、爪領域２１Ｂ２の先端および雄部２１Ｂの先端が雌部２２Ｂの鉤領域２２Ｂ３の先端を滑動するように第一係合部２３の係合が外れる。同様に、第二係合部２４についても、雄側鉤部２１Ｃの雄側鉤状領域２１Ｃ１と雌側鉤部２２Ｃの雌側鉤状領域２２Ｃ１とが外れる方向に移動されて外れ、開口部１２が小さな力で容易に開封できる。
【００４２】
［実施形態の効果］
上述したように、上記実施形態では、雄部２１Ｂおよび雌部２２Ｂの係合を爪領域２１Ｂ２が突出する側から解除する際、図６に示すように、雄側帯状基部２１Ａおよび雌側帯状基部２２Ａを離間する方向に移動させると、雄側帯状基部２１Ａが厚肉領域２１Ａ１と薄肉領域２１Ａ２との境界を支点として大きく屈曲する状態となる。
このため、雄部２１Ｂの鉤領域２１Ｂ３と雌部２２Ｂの鉤領域２２Ｂ３との係合を、強く設定して封止性を高めたとしても、爪領域２１Ｂ２が突出する側から係合を解除する場合には、容易に係合を解除できる。したがって、高い封止性と易開封性との相反する双方の特性を提供できる。
【００４３】
そして、上記実施形態では、雄部材２１に雄側鉤部２１Ｃを設け、雌部材２２に雌側鉤部２２Ｃを設けている。
このため、雄部２１Ｂおよび雌部２２Ｂの係合と合わせて、雄側鉤部２１Ｃおよび雌側鉤部２２Ｃの係止により、開封性があまり損なわれることなく、係合力を大きく増大でき、より高い封止性が得られる。
【００４４】
また、上記実施形態では、雄部２１Ｂの爪領域２１Ｂ２が袋本体１０の開封される開口部１２に向けて突出する状態にジッパーテープ２０を取り付けている。
このため、袋本体１０を開封する際、雄部２１Ｂおよび雌部２２Ｂの係合を爪領域２１Ｂ２が突出する側から雄側帯状基部２１Ａおよび雌側帯状基部２２Ａを離間する方向に移動させることとなる。
このため、雄側帯状基部２１Ａが厚肉領域２１Ａ１と薄肉領域２１Ａ２との境界を支点として大きく屈曲する状態が得られ、確実に高い封止性と易開封性との相反する双方の特性を提供できる。
【００４５】
そして、上記実施形態では、雌側帯状基部２２Ａの幅方向の開口部１２側のみ袋本体１０に取り付けるいわゆる片側外しの構成としている。
このことにより、内圧が作用した際に、雌側帯状基部２２Ａが開口部１２側に移動するように、一対の帯状基部２１Ａ，２２Ａに沿って帯状基部２１Ａ，２２Ａを剪断させる方向に内圧が作用することとなる。このため、袋本体１０と雌側帯状基部２２Ａとの間に内圧が作用し、雄部２１Ｂおよび雌部２２Ｂが係合する部分には一部の内圧が作用するのみとなる。よって、一対の帯状基部２１Ａ，２２Ａを剪断させる方向に作用する力は、雄部２１Ｂの鉤領域２１Ｂ３と雌部２２Ｂとが互いに噛合する方向となり、高い封止性が得られる。一方、係合する部分を解除する際には、袋本体１０の開口部１２側を離間するようにすることで、係合する爪領域２１Ｂ２および雌部２２Ｂとは噛合せず、容易に開封できる。したがって、確実に高い封止性と易開封性との相反する双方の特性を提供できる。
【００４６】
また、上記実施形態では、雄側シールバー３２１Ａにて雄側帯状基部２１Ａの幅方向の少なくとも両側を基材フィルム１１にヒートシールさせ、雌側シールバー３２１Ｂにて雌側帯状基部２２Ａにおける爪領域２１Ｂ２が突出する側に対応する幅方向の一側のみを基材フィルム１１にヒートシールさせている。
このことにより、雌側帯状基部２２Ａの幅方向における開口部１２側のみ袋本体１０に取り付けるいわゆる片側外しの構成となる。このため、内圧が作用した際、雄部２１Ｂおよび雌部２２Ｂが係合する部分には一部の内圧が作用するのみとなり、雄部２１Ｂの鉤領域２１Ｂ３と雌部２２Ｂとが互いに噛合する状態となって、高い封止性が得られる。一方、係合する部分を解除する際には、袋本体１０の開口部１２側を離間するようにすることで、係合する爪領域２１Ｂ２および雌部２２Ｂとは噛合せず、容易に開封できる。したがって、高い封止性と易開封性とを確実に備えたジッパーテープ付袋体１を簡単な構成で容易に提供できる。
【００４７】
［変形例］
なお、本発明を実施するための最良の構成などは、以上の記載で開示されているが、本発明は、これに限定されるものではない。すなわち、本発明は、主に特定の実施形態に関して説明されているが、本発明の技術的思想および目的の範囲から逸脱することなく、以上述べた実施形態に対し、材質、数量、その他の詳細な構成において、当業者が様々な変形を加えることができるものである。
したがって、上記に開示した材質、層構成などを限定した記載は、本発明の理解を容易にするために例示的に記載したものであり、本発明を限定するものではないから、それらの材質などの限定の一部若しくは全部の限定を外した名称での記載は、本発明に含まれるものである。
【００４８】
例えば、上記実施形態では、第二係合部２４を設けたが、第一係合部２３のみ設けた構成としてもよい。また、図７に示すように、第一係合部２３を複数対設けてもよい。この構成では、開封性があまり損なわれることなく、係合力を大きく増大でき、より高い封止性が得られる。
さらに、第二係合部２４を複数設けてもよい。
【００４９】
また、図８に示すように、雄部２１Ｂおよび雌部２２Ｂが変形した際に当接可能な補強部２５を設けてもよい。
このことにより、例えば、ジッパーテープ付袋体１に大きな内圧が作用し、互いに係合する雄部２１Ｂおよび雌部２２Ｂに大きな力が作用し、雄部２１Ｂおよび雌部２２Ｂが変形すると、補強部２５に当接して雄部２１Ｂおよび雌部２２Ｂの変形を抑制する。このため、雄部２１Ｂおよび雌部２２Ｂが変形して係合が解除してしまうことを防止し、より高い封止性を提供できる。
【００５０】
さらに、雄側帯状基部２１Ａに厚肉領域２１Ａ１を設け、厚肉領域２１Ａ１より雄側帯状基部２１Ａの幅方向の一端側を薄肉領域２１Ａ２とする場合に限らない。
例えば、図９に示すように、雄側帯状基部２１Ａにおける雄部２１Ｂの基端から幅方向の一端側の所定の距離までは、雄側帯状基部２１Ａの厚さ寸法とし、それより幅方向の一端側をより薄肉に形成することで、実質的に隣接して段差状となる厚肉領域２１Ａ１および薄肉領域２１Ａ２が形成されるようにしてもよい。また、図１０に示すように、雄部２１Ｂの基端から幅方向の一端側の所定の距離の位置に薄肉となる溝を設け、この溝の部分が薄肉領域２１Ａ２となるようにして、実質的に隣接して段差状となる厚肉領域２１Ａ１および薄肉領域２１Ａ２が形成されるようにしてもよい。
【００５１】
そして、製袋方法としては、上記三方製袋機である製造装置３を用いた構成に限らず、例えば図１１および図１２に示す回転ドラム式、図１３に示す縦ピロー式など、各種方法を利用できる。
具体的には、図１１および図１２に示す回転ドラム式の製造装置５は、一対の雄部材２１および雌部材２２を互いに分離して供給するテープ供給手段５１と、基材フィルム供給手段５２と、この基材フィルム供給手段５２によって供給された基材フィルム１１に雄部材２１および雌部材２２をそれぞれ融着する融着手段５３と、この融着手段５３によって雄部材２１および雌部材２２が融着された基材フィルム１１を幅方向中央から半折して雄部材２１および雌部材２２を係合させる係合手段５４と、この係合手段５４で半折された基材フィルム１１を製袋する製袋装置５５と、を備えている。
【００５２】
テープ供給手段５１は、ジッパーテープ２０をロール状に巻いたテープ巻取ロール５１１と、このテープ巻取ロール５１１から引き出されたジッパーテープ２０を雄部材２１および雌部材２２に分離する分離手段５１２と、を備えている。
基材フィルム供給手段５２は、基材フィルム１１をロール状に巻いたフィルム巻取ロール５２１から引き出された基材フィルムを繰り出す。
【００５３】
融着手段５３は、回転ドラム５３１と、回転ドラム５３１の外周面に対向配置された融着バー５３２と、を備えている。
回転ドラム５３１には、雄部材２１および雌部材２２をそれぞれ導入案内する一対の雄側溝５３１Ａおよび雌側溝５３１Ｂが周方向に沿って平行に設けられている。雄側溝５３１Ａは、雄部材２１の雄部２１Ｂおよび雄側鉤部２１Ｃを係合して位置決めする断面矩形状に形成されている。雌側溝５３１Ｂは、雌部材２２の雌部２２Ｂおよび雌側鉤部２２Ｃを係合して位置決めする断面矩形状に形成されている。
融着バー５３２は、雄部材２１を基材フィルム１１に取り付ける第一接合治具としての雄側シールバー５３２Ａと、雌部材２２を基材フィルム１１に取り付ける第二接合治具としての雌側シールバー５３２Ｂと、を備えている。
雄側シールバー５３２Ａは、雄側帯状基部２１Ａにおける雄部２１Ｂおよび雄側鉤部２１Ｃを除く断面Ｕ字状に形成され、雄側帯状基部２１Ａの幅寸法と略同幅寸法に形成されている。
雌側シールバー５３２Ｂは、雌側帯状基部２２Ａの幅寸法の一端側から雌側鉤部２２Ｃまでに対応した幅寸法に形成されている。
なお、雄側シールバー５３２Ａおよび雌側シールバー５３２Ｂにおける回転ドラム５３１の周面に対向する当接部としての融着面５３２Ｃは、回転ドラム５３１の周面形状に対応して曲面形状に形成されている。
【００５４】
係合手段５４は、融着手段５３によって雄部材２１および雌部材２２が融着された基材フィルム１１を幅方向中央から半折する三角形状の半折板５４１と、これによって２つに半折された基材フィルム７の対向する雄部材２１および雌部材２２を係合させる一対のローラ５４２とを備えている。
【００５５】
そして、上記製造装置５を用いたジッパーテープ付袋体１の製造方法は、雄部材２１および雌部材２２をそれぞれ繰り出すテープ操出工程と、ジッパーテープ２０を基材フィルム１１に接合させるテープ取付工程と、基材フィルム１１からジッパーテープ付袋体１を形成させる製袋工程と、などを実施する。
【００５６】
テープ操出工程で、テープ巻取ロール５１１からジッパーテープ２０を引き出して雄部材２１および雌部材２２に分離し、融着手段５３へ繰り出され、テープ取付工程が実施される。
テープ取付工程では、融着手段５３により、雄部材２１および雌部材２２と、基材フィルム１１とが重ね合わされた状態で、かつ、雄部材２１の雄部２１Ｂおよび雄側鉤部２１Ｃと、雌部材２２の雌部２２Ｂおよび雌側鉤部２２Ｃとが、回転ドラム５３１の雄側溝５３１Ａおよび雌側溝５３１Ｂにそれぞれ導入案内されながら、回転ドラム５３１の回転により連続走行される。
同時に、回転ドラム５３１の周面に対向する融着バー５３２を押し当てることで、雄側シールバー５３２Ａにより雄側帯状基部２１Ａの幅方向の両端側がヒートシールされ、雌側シールバー５３２Ｂにより雌側帯状基部２２Ａにおける雌部２２Ｂより開口部１２側のみがヒートシールされる。
なお、回転ドラム５３１の回転により連続走行させる際の速度は、５ｍ／分以上４０ｍ／分以下が好ましく、１０ｍ／分以上３０ｍ／分以下がさらに好ましい。
ここで、速度が５ｍ／分未満であると、生産性が低くなりコストアップとなる場合がある。一方、速度が４０ｍ／分を超えると、シール強度が不安定となる場合がある。
そして、ジッパーテープ２０が融着された基材フィルム１１は、製袋装置５５に送られ、ジッパーテープ付袋体１に製袋される。
このような回転ドラム式の製造装置５でも、上記図３に示す製造装置３で製造したジッパーテープ付袋体１と同様に、高い密封性を維持しつつ易開封性を向上できる。
【００５７】
また、図１３に示す縦ピロー式の製造装置６は、雄部材２１と雌部材２２とをそれぞれ繰り出し、繰り出された基材フィルム１１にそれぞれ配置させる配置部６１と、雄部材２１と雌部材２２とを基材フィルム１１に融着して取り付ける取付部６２とを備えている。
配置部６１は、フィルム巻取ロール１１１から繰り出される基材フィルム１１の長手方向となる操出方向の両側に、位置決めガイド部６１１により両側縁に沿う状態で雄部材２１および雌部材２２をそれぞれ位置決めする。この位置決めでは、厚肉領域２１Ａ１が設けられた雄側帯状基部２１Ａを、厚肉領域２１Ａ１が雄部２１Ｂより袋本体１０の開口部１２側に対応する位置、すなわち基材フィルム１１の幅方向の一端側に位置するように配置させる。
そして、配置部６１は、対をなす図示しないシールバーにより、雄側帯状基部２１Ａを幅方向の両端側を基材フィルム１１にヒートシールするとともに、雌側帯状基部２２Ａの雌部２２Ｂより幅方向の一端側のみをヒートシールする。
【００５８】
取付部６２は、ジッパーテープ２０が取り付けられた基材フィルム１１が巻かれる円筒フォーマ６２１と、送りベルト６２２と、トップシール部１６を形成するトップシールバー６２３と、サイドシール部１７を形成するサイドシールバー６２４と、底ガゼットを形成する治具６２５と、サイドシール部１７の位置で切断してジッパーテープ付袋体１を得る切断部６２６と、を備えている。
【００５９】
そして、上記製造装置６が用いられるジッパーテープ付袋体１の製造方法は、雄部材２１と雌部材２２とを繰り出すテープ操出工程と、ジッパーテープ２０を基材フィルム１１に接合させるテープ取付工程と、基材フィルム１１からジッパーテープ付袋体１を形成させる製袋工程と、などを実施する。
テープ操出工程で、テープ巻取ロール６１２からそれぞれ雄部材２１および雌部材２２を引き出し、位置決めガイド部６１１により、フィルム巻取ロール１１１から繰り出される基材フィルム１１の操出方向の両側に位置決めする。
この後、テープ取付工程で、図示しないシールバーにより、雄側帯状基部２１Ａの幅方向の両端側をヒートシールするとともに、雌側帯状基部２２Ａにおける雌部２２Ｂより開口部１２側のみをヒートシールする。
【００６０】
そして、ジッパーテープ２０が融着された基材フィルム１１は、取付部６２に送られる。
製袋工程で、基材フィルム１１を円筒フォーマ６２１に巻き付け、雄部２１Ｂおよび雌部２２Ｂを係合させた後、所定間隔すなわちサイドシール部１７の間隔で潰しを形成する。そして、トップシールバー６２３により基材フィルム１１の重なり合う両側縁をヒートシールしてトップシール部１６を形成する。この後、サイドシールバー６２４により、基材フィルム１１の操出方向に対して直行する方向で、かつ潰しの位置に対応してヒートシールを実施し、一方のサイドシール部１７を形成する。
そして、図示しない充填装置により、被包装物Ｐが所定量投入された後に、サイドシールバー６２４により基材フィルム１１の操出方向に対して直行する方向で、かつ潰しの位置に対応してヒートシールし、サイドシール部１７を形成する。
さらに、他方のサイドシール部１７を形成して被包装物Ｐを封入し、サイドシール部１７の中間位置で切断し、被包装物Ｐが充填されたジッパーテープ付袋体１を得る。
このような縦ピロー式の製造装置６でも、上記図３に示す製造装置３や図９に示す製造装置５で製造したジッパーテープ付袋体１と同様に、高い密封性を維持しつつ易開封性を向上できる。
【００６１】
また、雄部２１Ｂおよび雌部２２Ｂを軟質の樹脂にて形成し、雄側鉤部２１Ｃおよび雌側鉤部２２Ｃを硬質の樹脂にて形成することで、雄部２１Ｂおよび雌部２２Ｂの係合力を小さくして開封性を高め、雄側鉤部２１Ｃおよび雌側鉤部２２Ｃの係止力を高めてより高い封止性が得られるようにしてもよい。このような構成としても、厚肉領域２１Ａ１と薄肉領域２１Ａ２との段差により、開封性を向上できる。
【符号の説明】
【００６２】
１………ジッパーテープ付袋体
１０………袋本体
１１………基材フィルム
１２………開口部
２０………ジッパーテープ
２１………雄部材
２１Ａ……雄側帯状基部
２１Ａ１…厚肉領域
２１Ａ２…薄肉領域
２１Ｂ……雄部
２１Ｂ１…首領域
２１Ｂ２…爪領域
２１Ｂ３…鉤領域
２１Ｃ……雄側鉤部
２１Ｃ１…雄側鉤状領域
２２………雌部材
２２Ａ……雌側帯状基部
２２Ｂ……雌部
２２Ｃ……雌側鉤部
２２Ｃ１…雌側鉤状領域
２５………補強部
３２１Ａ……第一接合治具としての雄側シールバー
３２１Ｂ……第二接合治具としての雌側シールバー
５３１………回転ドラム
５３１Ａ……雄側溝
５３１Ｂ……雌側溝
５３２Ｃ……当接部としての融着面
Ｌ………平行線
Ｍ………先端点である頂点
Ｎ………斜辺
Ｐ………被包装物
θ………なす角
【図１】
0006487215.tif 000002
【図２】
0006487215.tif 000003
【図３】
0006487215.tif 000004
【図４】
0006487215.tif 000005
【図５】
0006487215.tif 000006
【図６】
0006487215.tif 000007
【図７】
0006487215.tif 000008
【図８】
0006487215.tif 000009
【図９】
0006487215.tif 000010
【図１０】
0006487215.tif 000011
【図１１】
0006487215.tif 000012
【図１２】
0006487215.tif 000013
【図１３】
0006487215.tif 000014